(57)【要約】      （修正有）【課題】好ましい装飾効果及び保健作用を有する玉石腕時計を提供する。【解決手段】ステンレス製時計ケース１と、ステンレス製腕時計底部２と、前記ステンレス製時計ケース内に設けられたコア３と、前記コアに設けられた時計針４と、前記時計針と前記コアとの間に設けられたダイヤルプレート５と、前記時計ケース内に設けられ、コア３を固定するためのステンレス製固定カバー６と、時計ケース１に接続されたステンレス製時計冠７と、を備え、前記時計ケースの外周に同軸の玉サークル８が嵌設され、ステンレス製時計底部２内に時計底部玉片９が嵌設され、ダイヤルプレート５内にダイヤルプレート玉片１０が設けられ、宝石時計蓋１１の周縁が前記ステンレス製時計ケース上端の内表面の嵌め込み台に設けられ、前記宝石時計蓋と前記ステンレス時計ケースとが密閉空間を形成し、前記ステンレス製時計冠の末端に宝石１２が嵌め込まれている。【選択図】図１
0003188798.tif 000002
【実用新案登録請求の範囲】
【請求項１】
ステンレス製時計ケースと、ステンレス製腕時計底部と、前記ステンレス製時計ケース内に設けられたコアと、前記コアに設けられた時計針と、前記時計針と前記コアとの間に設けられたダイヤルプレートと、前記ステンレス製時計ケース内に設けられ、前記コアを固定するためのステンレス製固定カバーと、前記ステンレス製時計ケースに接続されたステンレス製時計冠と、を備え、前記ステンレス製時計ケースの外周に同軸の玉サークルが嵌設され、前記ステンレス製腕時計底部内に時計底部玉片が嵌設され、前記ダイヤルプレート内にダイヤルプレート玉片が設けられ、宝石時計蓋の周縁が前記ステンレス製時計ケース上端の内表面の嵌め込み台に設けられ、前記宝石時計蓋と前記ステンレス製時計ケースとが密閉空間を形成し、前記ステンレス製時計冠の末端に宝石が嵌め込まれていることを特徴とすることを特徴とする玉石腕時計。
【請求項２】
前記宝石時計蓋は、サファイアからなることを特徴とする請求項１に記載の光ディスク収納ボックス。
【請求項３】
前記ステンレス製時計冠の末端に嵌め込まれた宝石は、ルビーであることを特徴とする請求項１に記載の光ディスク収納ボックス。
【請求項４】
前記時計底部玉片、前記ダイヤルプレート玉片、前記玉サークルは、玉石、翡翠又は宝石からなることを特徴とする請求項１に記載の光ディスク収納ボックス。
【請求項５】
前記ダイヤルプレートの両端における端部寄りの上表面にそれぞれ宝石が嵌設され、前記宝石の頂部表面が前記ダイヤルプレートにおける宝石が嵌設された沈下ベース内に位置することを特徴とする請求項１に記載の光ディスク収納ボックス。
【考案の詳細な説明】
【技術分野】
【０００１】
本考案は、玉石腕時計に関し、特に玉石を材料として製造された腕時計に関するものである。
【背景技術】
【０００２】
時間カウント装置として、腕時計は、幅広く運用されており、それと同時に身分や家柄の象徴として、豪華型の腕時計は、顕官貴人の愛顧を受け、通常の時間カウント装置としても贅沢品としても、腕時計は、金属を材料として製造されることが多く、たとえ身分表彰のための贅沢型腕時計でも金属材料から製造され、単に仕上げがより精密で、貴重金属が嵌められたものだけである。しかしながら、これらの腕時計は、時間の確認及び身分の表彰として以外、人体になんら利益をもたらさない。
【考案の概要】
【考案が解決しようとする課題】
【０００３】
そこで、本考案は、人体に接触する箇所を玉石材料で製造し、装飾及び保健機能を有する玉石腕時計を提供することを目的とする。
【課題を解決するための手段】
【０００４】
上述の目的を達成するために、本考案は、ステンレス製時計ケースと、ステンレス製腕時計底部と、前記ステンレス製時計ケース内に設けられたコアと、前記コアに設けられた時計針と、前記時計針と前記コアとの間に設けられたダイヤルプレートと、前記時計ケース内に設けられ、コアを固定するためのステンレス製固定カバーと、時計ケースに接続されたステンレス製時計冠と、を備え、前記時計ケースの外周に同軸の玉サークルが嵌設され、ステンレス製時計底部内に時計底部玉片が嵌設され、ダイヤルプレート内にダイヤルプレート玉片が設けられ、宝石時計蓋の周縁が前記ステンレス製時計ケース上端の内表面の嵌め込み台に設けられ、前記宝石時計蓋と前記ステンレス時計ケースとが密閉空間を形成し、前記ステンレス製時計冠の末端に宝石が嵌め込まれていることを特徴とすることを特徴とする玉石腕時計を提供する。
【０００５】
好ましくは、前記宝石時計蓋がサファイアからなる。
【０００６】
好ましくは、前記ステンレス製時計の末端に嵌め込まれた宝石がルビーである。
【０００７】
好ましくは、前記時計底部玉片、ダイヤルプレート玉片、玉サークルが玉石、翡翠又は宝石からなる。
【０００８】
好ましくは、前記ダイヤルプレートの両端における端部寄りの上表面にそれぞれ宝石が嵌設され、前記宝石の頂部表面がダイヤルプレートにおける宝石が嵌設された沈下ベース内に位置する。
【考案の効果】
【０００９】
本考案に係る玉石腕時計によれば、人体に接触する箇所や目立つ位置は、いずれも玉石を材料として製造されるため、玉石質感が強く表され、かつ、玉石自身が人体に対して保健作用を有するため、本考案は、より好ましい装飾効果及び保健作用を有する。
【図面の簡単な説明】
【００１０】
【図１】本考案に係る玉石腕時計の断面図を示す。
【考案を実施するための形態】
【００１１】
本考案の目的、技術特徴及び利点がより容易に理解できるように、以下、本考案に係る玉石腕時計について、添付図面及び実施例を参照しながら詳しく説明する。また、ここで説明する具体的な実施例は、本考案を説明するためのものであり、本考案を限定するものではないことはいうまでもない。
【００１２】
図１に示すように、本考案に係る玉石腕時計は、ステンレス製時計ケース１と、ステンレス製時計底部２と、ステンレス製時計ケース１内に設けられたコア３と、コア３に設けられた時計針４と、時計針４とコア３との間に設けられたダイヤルプレート５と、時計ケース１内に設けられ、コア３を固定するためのステンレス製固定カバー６と、時計ケース１に接続されたステンレス製時計冠７と、を備える。
【００１３】
前記時計ケース１の外周に同軸の玉サークル８が嵌設され、ステンレス製時計底部２内に時計底部玉片９が嵌設され、腕時計として使用された場合には、時計底部玉片９がちょうど人体の皮膚に接触し、ダイヤルプレート５内にダイヤルプレート玉片１０が設けられ、宝石時計蓋１１の周縁がステンレス製時計ケース１上端の内表面の嵌め込み台に設けられるとともにステンレス製時計ケース１に固定され、前記宝石時計蓋１１と前記ステンレス時計ケース１とが密閉空間を形成し、前記ステンレス製時計冠の末端に宝石１２が嵌め込まれている。
【００１４】
この実施例において、前記宝石時計蓋１１は、サファイアからなる。
【００１５】
この実施例において、前記ステンレス製時計７の末端に嵌め込まれた宝石１２は、ルビーである。
【００１６】
この実施例において、前記時計底部玉片９、ダイヤルプレート玉片１０、玉サークル８は、玉石からなるが、翡翠又は宝石等、質の類似した材料を使用しても玉石と同一である効果を有し、その製造工程は、基本的に一致している。
【００１７】
また、前記ダイヤルプレート５の両端における端部寄りの上表面にそれぞれ宝石１３が嵌設され、前記宝石１３の頂部表面がダイヤルプレート５における宝石が嵌設された沈下ベース内に位置し、透明の宝石時計蓋１１を通じて宝石１３の頂部表面を見ることができるため、玉石腕時計の金属質感が減少し、玉石又は宝石の質感が増加することになる。
【００１８】
上記のように、これらの実施の形態は本考案の好ましい実施例のみであり、本考案の特許請求の範囲に基づいてなされる等価の変更や修飾は、本考案の技術範囲に入るものである。
【図１】
0003188798.tif 000003
【手続補正書】
【提出日】平成25年11月28日(2013.11.28)
【手続補正１】
【補正対象書類名】実用新案登録請求の範囲
【補正対象項目名】全文
【補正方法】変更
【補正の内容】
【実用新案登録請求の範囲】
【請求項１】
ステンレス製時計ケースと、ステンレス製腕時計底部と、前記ステンレス製時計ケース内に設けられたコアと、前記コアに設けられた時計針と、前記時計針と前記コアとの間に設けられたダイヤルプレートと、前記ステンレス製時計ケース内に設けられ、前記コアを固定するためのステンレス製固定カバーと、前記ステンレス製時計ケースに接続されたステンレス製時計冠と、を備え、前記ステンレス製時計ケースの外周に同軸の玉サークルが嵌設され、前記ステンレス製腕時計底部内に時計底部玉片が嵌設され、前記ダイヤルプレート内にダイヤルプレート玉片が設けられ、宝石時計蓋の周縁が前記ステンレス製時計ケース上端の内表面の嵌め込み台に設けられ、前記宝石時計蓋と前記ステンレス製時計ケースとが密閉空間を形成し、前記ステンレス製時計冠の末端に宝石が嵌め込まれていることを特徴とすることを特徴とする玉石腕時計。
【請求項２】
前記宝石時計蓋は、サファイアからなることを特徴とする請求項１に記載の玉石腕時計。
【請求項３】
前記ステンレス製時計冠の末端に嵌め込まれた宝石は、ルビーであることを特徴とする請求項１に記載の玉石腕時計。
【請求項４】
前記時計底部玉片、前記ダイヤルプレート玉片、前記玉サークルは、玉石、翡翠又は宝石からなることを特徴とする請求項１に記載の玉石腕時計。
【請求項５】
前記ダイヤルプレートの両端における端部寄りの上表面にそれぞれ宝石が嵌設され、前記宝石の頂部表面が前記ダイヤルプレートにおける宝石が嵌設された沈下ベース内に位置することを特徴とする請求項１に記載の玉石腕時計。